(57)【要約】【課題】ラックを構成するユニットの積み上げを容易にして、運搬効率を高めることが可能な積載ラックを提供する。【解決手段】積載ラックを構成する第１ユニット及び第２ユニットは、積載ラックの少なくとも四隅に設けられた複数の支柱２と、複数の支柱２間に取り付けられて、上下方向において１段以上設けられ、１段につき少なくとも１対、平行に延在して設けられた棒状の横架材３と、をそれぞれ備える。少なくとも１対の対を成す横架材３は、その上に板状の外壁パネルを積載するものである。第２ユニットは、第１ユニットの上部に積み上げられ、第１ユニットの被係止部７と係止する係止部６を有する。係止部６は、被係止部７に当接する当接部と、当接部から下方に突出して互いに対向する壁部６ｃと、を有する。対向する壁部６ｃは、下方に向かうにつれて互いの隙間が広がるように形成されている。【選択図】図３
2018104040.tif 000002
【特許請求の範囲】
【請求項１】
板状の建築部材を積載する積載ラックであって、
該積載ラックの少なくとも四隅に設けられた複数の支柱と、
前記複数の支柱間に取り付けられて、上下方向において１段以上設けられ、１段につき少なくとも１対、平行に延在して設けられた棒状の横架材と、をそれぞれ備える第１ユニット及び第２ユニットから成り、
少なくとも１対の対を成す前記横架材は、その上に前記板状の建築部材を積載するものであり、
前記第２ユニットは、前記第１ユニットの上部に積み上げられ、前記第１ユニットの被係止部と係止する係止部を有し、
該係止部は、前記被係止部に当接する当接部と、該当接部から下方に突出して互いに対向する対向壁部と、を有し、
該対向壁部は、下方に向かうにつれて互いの隙間が広がるように形成されていることを特徴とする積載ラック。
【請求項２】
前記係止部は、水平に延在する下端部を有することを特徴とする請求項１に記載の積載ラック。
【請求項３】
前記対向壁部は、対向する面の逆側の面から突出するリブを有することを特徴とする請求項１又は２に記載の積載ラック。
【請求項４】
前記対向壁部としての第１対向壁部は、水平面内の一方向である第１方向から見て、下方に向かうにつれて互いの隙間が広がるように形成されており、
前記被係止部は、互いに対向する第２対向壁部を有し、
該第２対向壁部は、水平面内の他の方向であり前記第１方向に垂直な第２方向から見て、上方に向かうにつれて互いの隙間が広がるように形成されていることを特徴とする請求項１乃至３のいずれか一項に記載の積載ラック。
【請求項５】
前記被係止部は、前記第１ユニットにおける最上段に設けられた前記横架材にスペーサを介して取り付けられていることを特徴とする請求項１乃至４のいずれか一項に記載の積載ラック。
【請求項６】
前記第１ユニットにおける最上段にある前記横架材には、下方に載置された前記建築部材を押さえる押さえ部が設けられており、
前記係止部の下端部は、前記第１ユニット上に前記第２ユニットが積み上げられた状態において、前記押さえ部の押さえ面よりも上方にあることを特徴とする請求項１乃至５のいずれか一項に記載の積載ラック。
【請求項７】
前記第１ユニットは、前記第２ユニットの上部に積み上げ可能に構成されており、
前記係止部は、第１係止部であり、
前記被係止部は、第１被係止部であり、
前記第１ユニットは、前記第２ユニットの第２被係止部と係止する第２係止部を有し、
該第２係止部は、互いに対向する第３対向壁部を有し、
該第３対向壁部は、下方に向かうにつれて互いの隙間が広がるように形成されていることを特徴とする請求項１乃至６のいずれか一項に記載の積載ラック。
【発明の詳細な説明】
【技術分野】
【０００１】
本発明は、板状の建築部材を積載する積載ラックに係り、特に、上下に積み上げられる複数のユニットから成る積載ラックに関する。
【背景技術】
【０００２】
一般に、外壁パネル、屋根パネル及び腰壁パネル等の板状の建築部材は、専用のラックに収容されて、ラックごと収納され、そして、同ラックに収容された状態でパネル工場から建築現場まで車両によって運搬される。
【０００３】
そして、車両には、積載スペースや積載量の制限がある。このため、積載スペースの高さが高い車両又は積載量の大きな車両においては、ラックを構成するユニットを多段に積み上げて一度に運搬可能としつつ、積載スペースの高さが低い車両又は積載量の小さい車両においては、ユニットを積み上げずに運搬する方法が採られている。
【０００４】
このようなラックの例として、特許文献１には、長尺方向の長さが異なる建築パネルを積載可能とするため、ラックの長尺方向に並んで設けられた３本の支柱と、短尺方向の支柱間に設けられたパネル受け材と、を備える収容ラックが開示されている。
【０００５】
そして、特許文献１には、ラックを構成する２つのユニットを上下に容易に積み上げ可能とする構成が開示されている。具体的には、特許文献１には、上側ユニットを構成する最下段の支柱の下端部がカップ状に形成され、下側ユニットを構成する最上段にある支柱の上端部の挿入部を、上側ユニットのカップ状の下端部によってガイドさせて支柱の中空部に挿入させることが開示されている。
【先行技術文献】
【特許文献】
【０００６】
【特許文献１】特開２０１６−８９５６７号公報
【発明の概要】
【発明が解決しようとする課題】
【０００７】
しかし、特許文献１の収容ラックにおいて、下側ユニットに上側ユニットを積み上げる際には、少なからず手間がかかっていた。具体的には、上側ユニットを構成する最下段の支柱の下端部がカップ状に形成されているとしても、支柱の中空部に下側ユニットを構成する最上段の支柱の上端部にある挿入部が挿入されるように、相対位置を調整しなくてはならず、積み上げが困難であった。
また、下段ユニット上に積み上げられた上側ユニットを下段ユニットから床に下ろす際には、上側ユニットにおける床に当接する部位が自重により破損する恐れがあるため、上側ユニットを下ろす位置に架台を用意しなくてはならなかった。
【０００８】
本発明は、上記の課題に鑑みてなされたもので、その目的とするところは、ラックを構成するユニットの積み上げを容易にして、運搬効率を高めることが可能な積載ラックを提供することにある。また、その他の目的は、架台を用意することなく、ユニットを床に配置可能にすることにある。
【課題を解決するための手段】
【０００９】
前記課題は、本発明の積載ラックによれば、板状の建築部材を積載する積載ラックであって、該積載ラックの少なくとも四隅に設けられた複数の支柱と、前記複数の支柱間に取り付けられて、上下方向において１段以上設けられ、１段につき少なくとも１対、平行に延在して設けられた棒状の横架材と、をそれぞれ備える第１ユニット及び第２ユニットから成り、少なくとも１対の対を成す前記横架材は、その上に前記板状の建築部材を積載するものであり、前記第２ユニットは、前記第１ユニットの上部に積み上げられ、前記第１ユニットの被係止部と係止する係止部を有し、該係止部は、前記被係止部に当接する当接部と、該当接部から下方に突出して互いに対向する対向壁部と、を有し、該対向壁部は、下方に向かうにつれて互いの隙間が広がるように形成されていることにより解決される。
上記構成によれば、係止部が、被係止部に当接する当接部と、互いに対向する対向壁部とを有し、対向壁部が、下方に向かうにつれて互いの隙間が広がるように形成されていることで、作業者は、第２ユニットの係止部を第１ユニットの被係止部に容易に係止させて第１ユニットの上部に第２ユニットを容易に積み上げることができる。
【００１０】
また、前記係止部は、水平に延在する下端部を有すると好ましい。
上記構成によれば、係止部が、水平に延在する下端部を有していることで、第２ユニットを略水平な床に載置する場合に、係止部の下端部が床に接触する面積が広くなる。このため、係止部の下端部に第２ユニットの自重が加わったとしても、床から係止部に加わる反力を分散させることができ、係止部が破損することを抑制できる。
【００１１】
さらに、前記対向壁部は、対向する面の逆側の面から突出するリブを有すると好ましい。
上記構成によれば、対向壁部が、対向する面の逆側の面から突出するリブを有することで、被係止部との係止に干渉することなく、係止部の剛性が高められて、第１ユニットとの係止を安定させることができる。さらに、第２ユニットを床に載置したときに係止部が第２ユニットの自重によって破損することを抑制できる。
【００１２】
また、前記対向壁部としての第１対向壁部は、水平面内の一方向である第１方向から見て、下方に向かうにつれて互いの隙間が広がるように形成されており、前記被係止部は、互いに対向する第２対向壁部を有し、該第２対向壁部は、水平面内の他の方向であり前記第１方向に垂直な第２方向から見て、上方に向かうにつれて互いの隙間が広がるように形成されていてもよい。
上記構成によれば、第１対向壁部が水平面内の一方向である第１方向から見て、下方に向かうにつれて互いの隙間が広がるように形成されており、第２対向壁部が、水平面内の他の方向であり一方向に垂直な第２方向から見て、上方に向かうにつれて互いの隙間が広がるように形成されていることで、係止部の第１対向壁部と被係止部の第２対向壁部とが、相互に干渉しあうことで、相互に位置ずれすることを抑制できる。
【００１３】
また、前記被係止部は、前記第１ユニットにおける最上段に設けられた前記横架材にスペーサを介して取り付けられていてもよい。
上記構成によれば、被係止部が、スペーサを介して最上段の横架材に取り付けられていることで、スペーサによって広げられた、第１ユニットと第２ユニットの間にフォークリフトの爪を挿し込みやすくなる。
【００１４】
前記第１ユニットにおける最上段にある前記横架材には、下方に載置された前記建築部材を押さえる押さえ部が設けられており、前記係止部の下端部は、前記第１ユニット上に前記第２ユニットが積み上げられた状態において、前記押さえ部の押さえ面よりも上方にあると好ましい。
上記構成によれば、係止部の下端部が、第１ユニット上に第２ユニットが積み上げられた状態において、押さえ部の押さえ面よりも上方にあることで、第２ユニットにおいて下方に突出する係止部が建築部材に干渉することがなく、建築部材を損傷させることがない。
【００１５】
また、前記第１ユニットは、前記第２ユニットの上部に積み上げ可能に構成されており、前記係止部は、第１係止部であり、前記被係止部は、第１被係止部であり、前記第１ユニットは、前記第２ユニットの第２被係止部と係止する第２係止部を有し、該第２係止部は、互いに対向する第３対向壁部を有し、該第３対向壁部は、下方に向かうにつれて互いの隙間が広がるように形成されていると好ましい。
上記構成によれば、第１ユニットと第２ユニットとの積み上げ順序を変更したとしても、第１ユニットの第２係止部が有する第３対向壁部が下方に向かうにつれて互いの隙間が広がるように形成されていることで、第２ユニット上に第１ユニットを容易に積み上げることができる。
【発明の効果】
【００１６】
本発明の積載ラックによれば、作業者は、第２ユニットの係止部を第１ユニットの被係止部に容易に係止させて第１ユニットの上部に第２ユニットを容易に積み上げることができる。
【図面の簡単な説明】
【００１７】
【図１】本実施形態に係る積載ラックを示す正面図である。
【図２】第１ユニットを示す模式的な斜視図である。
【図３】係止部が被係止部に係止している状態における、図２のIII部分を拡大して示す拡大斜視図である。
【発明を実施するための形態】
【００１８】
以下、本発明の実施形態に係る積載ラック１について説明する。なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。なお、以下において、平面視略長方形状に形成された積載ラック１を基準として、長尺方向、短尺方向及び高さ方向が定められているものとする。
【００１９】
＜＜全体構成について＞＞
本実施形態に係る積載ラック１は、建築パネル等の板状の建築部材を収容して、建築部材の保管に用いられ、又は、車両に搭載されて建築部材の建築現場への搬送に用いられるものである。
まず、積載ラック１の全体構成について図１を参照して説明する。図１は、本実施形態に係る積載ラック１を示す正面図である。
積載ラック１は、第１ユニットＵ１と、第１ユニットＵ１の上部に積み上げられる第２ユニットＵ２と、を備える。そして、第１ユニットＵ１と第２ユニットＵ２とは詳細について後述するように、係止部６と被係止部７と係止して、相互の位置ずれが抑制された状態で第１ユニットＵ１上に第２ユニットＵ２が積み上げられる。
【００２０】
＜＜各ユニットの構成について＞＞
第１ユニットＵ１と第２ユニットＵ２とは略同じ構成から成り、主に異なる点は、第１ユニットＵ１が６枚の建築部材としての外壁パネルＰ１を積載可能な６段構成から成るのに対し、第２ユニットＵ２が４段構成から成る点にある。そこで、主に第１ユニットＵ１について図２を参照して説明する。図２は、第１ユニットＵ１を示す模式的な斜視図である。
【００２１】
第１ユニットＵ１は、図２に示すように、積載ラック１（第１ユニットＵ１）の四隅において立設する支柱２と、外壁パネルＰ１が載置される横架材３と、支柱２に取り付けられるツナギ材４及び補強ツナギ材５と、を備える。
支柱２は、積載ラック１の四隅に設けられた部材である。支柱２は、上下の段ごとに設けられたパーツが上下に重ね合わせられて、全体として一本の柱を形成するように構成されている。本実施形態に係る支柱２は７本の支柱が上下に重ねられている。なお、第１ユニットＵ１は、積載ラック１の四隅以外の部分に支柱２を追加的に備えていてもよい。
【００２２】
横架材３は、短尺方向に隣接する支柱２に対向する面の中央部分に、端部を溶接接合されおり、第１ユニットＵ１の短尺方向に延在している。横架材３は、上下方向において１段以上、本実施形態においては７段設けられており、１段につき短尺方向に延在する１対、平行に延在して設けられた棒状の部材である。なお、横架材３の数は、一段につき１対に限定されず、例えば、一段を構成する支柱２の本数を増やす場合には、更に複数設けるようにしてもよい。
【００２３】
最上段にある横架材３以外の１対の対を成す横架材３は、それぞれの上に外壁パネルＰ１を積載するものである。そして、最下段以外の横架材３は、それぞれの下にある外壁パネルＰ１を、緩衝材８を介して押さえる機能を有する。
詳細については後述するが、最上段の一対の横架材３における短尺方向の両端部それぞれには、第２ユニットＵ２に設けられた第１係止部としての係止部６とこれに係止する第１被係止部としての被係止部７が取り付けられている。さらに、最下段の一対の横架材３における短尺方向の両端部それぞれには、第２ユニットＵ２に設けられた被係止部１７と係止する係止部１６が取り付けられている。
【００２４】
ツナギ材４及び補強ツナギ材５は、第１ユニットＵ１の長尺方向において隣接する支柱２に取り付けられて、これらの間隔を所定間隔に保ち、剛性を付与するものである。
ツナギ材４は、第１ユニットＵ１の所定の段（本実施形態においては下から４つ目の段と最上段）において長尺方向に隣接する支柱２に両端部を取り付けられており、短尺方向に対を成して配設されている。
【００２５】
補強ツナギ材５は、第１ユニットＵ１の最下段において長尺方向に隣接する支柱２に両端部を取り付けられており、短尺方向に対を成して配設されている。補強ツナギ材５は、クレーンのワイヤーが架けられることにより、建築現場において、第１ユニットＵ１、第２ユニットＵ２又はその両方を吊り上げる際の支持部材となる。更に短尺方向に対を成す補強ツナギ材５に跨るように、その下方から図示せぬフォークリフトの爪を差し込んで、第１ユニットＵ１をフォークリフトで運搬できる構成となっている。
具体的には、補強ツナギ材５の下面と、後述する係止部１６の下面との間にはフォークリフトの爪が差し込める程度の隙間が形成されている。そして、補強ツナギ材５は、第１ユニットＵ１の重量によって撓まないように、ツナギ材４よりも太く形成されて高い剛性を備えるように形成されている。
【００２６】
このように、補強ツナギ材５が設けられ、かつ、後述する係止部１６（，６）が設けられている第１ユニットＵ１、及び同様の構成から成り第２ユニットＵ２は、それぞれの最下段に架台を設けていない。このため、第１ユニットＵ１及び第２ユニットＵ２は、部品点数を削減でき、軽量化が可能となり、かつ上下方向の高さを抑制することができる。
なお、第１ユニットＵ１上に第２ユニットＵ２が積み重ねられることにより、重量がかかる第１ユニットＵ１のみ、その最下段に架台を設けるようにしてもよい。
【００２７】
＜＜係止部と被係止部との係止構造について＞＞
次に、係止部６と被係止部７との係止構造、及び係止部１６と被係止部１７の係止構造について、図１、図２に加えて図３を参照して説明する。図３は、係止部６が被係止部７に係止している状態における、図２のIII部分を拡大して示す拡大斜視図である。
【００２８】
係止部６は、第１ユニットＵ１の被係止部７に係止する、第２ユニットＵ２に形成された部位であり、第２ユニットＵ２の四隅の下端部、厳密には、最下段の横架材３の両端部における支柱２に隣接する部位に配設される部材である。
係止部６は、板材６ｆから主に構成されており、第１ユニットＵ１に対して所定の間隔を置くためのスペーサ６ａを介して、横架材３に取り付けられている。
【００２９】
スペーサ６ａは、断面長方形状の角パイプ状に形成されており、端部に形成された図示せぬ穴に支柱２の下部が挿し込まれた上で、横架材３の端部の下面に沿うように配設されて、支柱２及び横架材３と溶接されている。
【００３０】
板材６ｆは、スペーサ６ａの下面に接合され被係止部７に当接する当接部６ｂと、被係止部７に係止するための壁部６ｃと、床Ｆに安定して載置させるための下端部６ｄと、から主に構成されている。
【００３１】
当接部６ｂは、被係止部７の当接部７ｄと当接する部位であり、両端部にある壁部６ｃ及び下端部６ｄと一体的に形成されており、板材６ｆの中央の下面部分である。
【００３２】
壁部６ｃは、本発明に係る対向壁部及び第１対向壁部に相当し、当接部６ｂにおける第２ユニットＵ２の長尺方向両側の端部から、下方に向けて斜めに、長尺方向に互いに広がる向きに延在している。つまり、長尺方向両側、かつ下方に向けて延在することによって対向する壁部６ｃは、水平面内の一方向である第２ユニットＵ２の短尺方向（第１方向に相当する。）から見て、下方に向かうにつれて互いの隙間が広がるように形成されている。
【００３３】
このように、対向する壁部６ｃが下方に向かうにつれて互いの隙間が広がるように形成されていることで、係止部６が被係止部７に係止する位置にガイドすることができ、簡単に第１ユニットＵ１状に第２ユニットＵ２を積み上げることが可能となる。より詳細には、第１ユニットＵ１上に第２ユニットＵ２を積み上げる際に、第１ユニットＵ１から上方に突出する被係止部７に壁部６ｃが当接することで、被係止部７の当接部７ｄに係止部６の当接部６ｂが当接する位置に、第２ユニットＵ２をガイドすることができる。
【００３４】
対向する壁部６ｃは、対向する面の逆側の面、つまり、当接部６ｂに連続する面とは逆側の面から突出する２本の線条のリブ６ｅをそれぞれ有する。このような配置で形成されたリブ６ｅを有する壁部６ｃは、当接部６ｂに当接する被係止部７との係止にリブ６ｅが干渉することなく、係止部６の剛性を高めて、第１ユニットＵ１との係止を安定させることができる。さらに、第２ユニットＵ２を床Ｆに載置したときに、係止部６が第２ユニットＵ２の自重によって破損することを抑制できる。
【００３５】
下端部６ｄは、壁部６ｃから屈曲して、第２ユニットＵ２の長尺方向に水平に延在している。下端部６ｄが、このように延在していることで、第２ユニットＵ２を略水平な床Ｆに載置する場合に、係止部６の下端部６ｄが床Ｆに接触する面積が広くなる。したがって、係止部６の下端部６ｄに第２ユニットＵ２の自重が加わったとしても、床Ｆから係止部６に加わる反力を分散させることができ、係止部６が破損することを抑制できる。
【００３６】
第１ユニットＵ１における最上段にある横架材３には、下方に載置された外壁パネルＰ１を押さえる押さえ部としての緩衝材８が取り付けられている。係止部６の下端部６ｄは、第１ユニットＵ１上に第２ユニットＵ２が積み上げられた状態において、緩衝材８の押さえ面である下面８ａよりも上方にある。このような構成により、第２ユニットＵ２において係止部６が下方に突出していたとしても、外壁パネルＰ１に干渉することがなく、外壁パネルＰ１を損傷させることがない。
【００３７】
被係止部７は、第２ユニットＵ２の係止部６に係止される、第１ユニットＵ１に形成された部位であり、第１ユニットＵ１の四隅の上端部、厳密には、最上段の横架材３の両端部における支柱２に隣接する部位に配設される部材である。
被係止部７は、板材７ｅによって主に構成されており、第２ユニットＵ２に対して所定の間隔を置くためのスペーサ７ａ，７ｂを介して、横架材３に取り付けられている。
【００３８】
スペーサ７ａ，７ｂは、断面長方形状の角パイプ状に形成されている。
スペーサ７ａは、横架材３の端部の上面に沿うように配設されて、支柱２の上部に側方から当接する位置で、支柱２及び横架材３と溶接されている。
スペーサ７ｂは、端部に形成された図示せぬ穴に支柱２の上部が挿し込まれた上で、スペーサ７ａの端部の上面に沿うように配設されて、支柱２及び横架材３と溶接されている。
【００３９】
板材７ｅは、スペーサ７ｂの上面に接合されて係止部６に当接する当接部７ｄと、係止部６に係止するための壁部７ｃと、から主に構成されている。
当接部７ｄは、係止部６の当接部６ｂと当接する部位であり、両端部にある壁部７ｃと一体的に形成されており、板材７ｅの中央の上面部分である。
【００４０】
壁部７ｃは、本発明に係る第２対向壁部に相当し、当接部７ｄにおける第１ユニットＵ１の短尺方向両側の端部から、上方に向けて斜めに、短尺方向に互いに広がる向きに延在している。つまり、短尺方向両側、かつ上方に向けて延在することによって対向する壁部７ｃは、水平面内の他の方向である第１ユニットＵ１の長尺方向（第２方向に相当する。）から見て、上方に向かうにつれて互いの隙間が広がるように形成されている。
【００４１】
このように、係止部６における対向する壁部６ｃ及び被係止部７における対向する壁部７ｃが、互いに当接する当接部６ｂと当接部７ｄを基準として、交差する方向に斜めに延在していることで、相互に干渉しあって、相互に位置ずれが生じることを抑制できる。
【００４２】
上記のように、係止部６が、スペーサ６ａを介して第２ユニットＵ２の最下段の横架材３に取り付けられ、被係止部７が、スペーサ７ａ，７ｂを介して第１ユニットＵ１の最上段の横架材３に取り付けられている。このため、スペーサ６ａ，７ａ，７ｂを備えることによって広がる、第１ユニットＵ１と第２ユニットＵ２の隙間にフォークリフトの爪を挿し込むことが可能となる。
【００４３】
特に、下端部６ｄの下面は、補強ツナギ材５の下面からフォークリフトの爪の高さよりも低い位置に、位置するように構成されている。このように構成されていることで、第２ユニットＵ２を持ち上げるために、補強ツナギ材５の下方にフォークリフトの爪を挿入することができる。このため、第２ユニットＵ２を床Ｆに載置する際に、図示せぬ台木を配置したり、取り除いたりする作業が不要となる。
【００４４】
このように、第２ユニットＵ２に係止部６、第１ユニットＵ１に被係止部７が形成されていることで、第１ユニットＵ１上に第２ユニットＵ２を積み上げる作業が容易となる。
係止部６及び被係止部７が無い、特開２０１６−８９５６７号公報に記載の構成であると、第１ユニットＵ１上に第２ユニットＵ２を積み上げる作業は困難であった。
具体的には、第１ユニットＵ１の最上段の四隅にある支柱２の上部に設けられた図示せぬ突出部を、第２ユニットＵ２の最下段の四隅にある支柱２の下部に設けられた図示せぬ中空部に挿し込むようにして取り付けなければならない。特に、フォークリフトで外壁パネルＰ１を積載した第２ユニットＵ２を持ち上げて、第１ユニットＵ１上に積載する作業となるため、両者の水平面上の位置を調整することは困難を極める。
【００４５】
この点、第１ユニットＵ１上に第２ユニットＵ２を積み上げる際の両者の係止構造として、板材６ｆを有する係止部６及び板材７ｅを有する被係止部７が設けられていることで、下方の支柱２の突出部を上方の支柱２の中空部に穴に挿し込む必要がない。よって、両者の水平面上の位置を容易に調整することができるため、作業効率が高くなる。
【００４６】
また、上記構成において、第１ユニットＵ１上に第２ユニットＵ２を積み上げる構成について説明した。しかし、このような構成に限定されず、第１ユニットＵ１を第２ユニットＵ２の上部に積み上げるようにしてもよい。具体的には、図１に示すように、第１ユニットＵ１の下端部に第２係止部に相当する係止部１６を設け、第２ユニットＵ２の上端部に第２被係止部に相当する被係止部１７を設けるようにすればよい。
【００４７】
第１ユニットＵ１の係止部１６は、第２ユニットＵ２の被係止部１７に係止する、第１ユニットＵ１に形成された部位であり、第１ユニットＵ１の四隅の下端部、厳密には、最下段の横架材３の両端部における支柱２に隣接する部位に配設される部材である。
板材６ｆから主に構成されており、第１ユニットＵ１に対して所定の間隔を置くためのスペーサ６ａを介して、横架材３に取り付けられている。
【００４８】
係止部１６は、第２ユニットＵ２の係止部６と同一の構成からなり、板材１６ｆから主に構成されており、第１ユニットＵ１又は床Ｆに対して所定の間隔を置くためのスペーサ１６ａを介して、横架材３に取り付けられている。
【００４９】
板材１６ｆは、被係止部１７の当接部１７ｄと当接する当接部１６ｂと、被係止部１７に係止するための壁部１６ｃと、床Ｆに安定して載置させるための下端部１６ｄと、から主に構成される。
特に、互いに対向する第３対向壁部としての壁部１６ｃは、壁部６ｃと同様に、下方に向かうにつれて互いの隙間が広がるように形成されている。第１ユニットＵ１の係止部１６が有する壁部１６ｃが下方に向かうにつれて互いの隙間が広がるように形成されていることで、作業者は、第２ユニットＵ２上に第１ユニットＵ１を容易に積み上げることができる。
【００５０】
第２ユニットＵ２の被係止部１７は、第１ユニットＵ１の係止部１６に係止される、第２ユニットＵ２に形成された部位であり、第１ユニットＵ１の被係止部７と同一の構成からなる。被係止部１７は、第２ユニットＵ２の四隅の上端部、厳密には、最上段の横架材３の両端部における支柱２に隣接する部位に配設される部材である。被係止部１７は、板材７ｅによって主に構成されており、第２ユニットＵ２に対して所定の間隔を置くためのスペーサ１７ａ，１７ｂを介して、横架材３に取り付けられている。
また、板材１７ｅは、板材７ｅ同様、スペーサ１７ｂの上面に接合されて係止部１６に当接する当接部１７ｄと、係止部１６に係止するための壁部１７ｃと、から主に構成されている。
【００５１】
上記実施形態によれば、積載ラック１を収容スペースの高さに応じて、第１ユニットＵ１のみ、第２ユニットＵ２のみを載置し、あるいは第１ユニットＵ１及び第２ユニットＵ２を積載した状態で載置することができる。特に、積載ラック１を搭載するトラック内の収容スペースの高さ、積載量に応じて、搭載するユニットを調整できるため効率的に運搬することが可能となる。
【００５２】
上記構成においては、被係止部７，１７に壁部７ｃ，１７ｃが形成されているものとして説明した。壁部７ｃ，１７ｃが形成されていることで、壁部７ｃ，１７ｃによって、係止部６，１６の位置ずれを抑制できるため、係止部６，１６の壁部６ｃ，１６ｃとの係合状態がより強固となる。
しかしながら、本願発明はこのような構成に限定されず、被係止部７，１７が壁部７ｃ，１７ｃを有しなくてもよい。例えば、揺れの生じない場所に保管する目的のみに用いる場合や、別途固定手段を用いる場合等によって、係止部６，１６と被係止部７，１７との間に位置ずれの問題が無い場合には、必ずしも被係止部７，１７が壁部７ｃ，１７ｃを有する必要はない。
【００５３】
また、上記実施形態においては、積載ラック１に、外壁パネルＰ１を積載する例に説明したが、パネルの種類は任意であり、玄関パネル、袖壁パネル、屋根パネル等の板状の建築部材を積載対象としてもよい。
【符号の説明】
【００５４】
１  積載ラック
２  支柱
３  横架材
４  ツナギ材
５  補強ツナギ材
６  係止部（第１係止部）
６ａ  スペーサ
６ｂ  当接部
６ｃ  壁部（対向壁部、第１対向壁部）
６ｄ  下端部
６ｅ  リブ
６ｆ  板材
７  被係止部（第１被係止部）
７ａ，７ｂ  スペーサ
７ｃ  壁部（第２対向壁部）
７ｄ  当接部
７ｅ  板材
８  緩衝材（押さえ部）
８ａ  下面（押さえ面）
１６  係止部（第２係止部）
１６ａ  スペーサ
１６ｂ  当接部
１６ｃ  壁部（第３対向壁部）
１６ｄ  下端部
１６ｅ  リブ
１６ｆ  板材
１７  被係止部（第２被係止部）
１７ａ，１７ｂ  スペーサ
１７ｃ  壁部
１７ｄ  当接部
１７ｅ  板材
Ｐ１  外壁パネル（建築部材）
Ｕ１  第１ユニット
Ｕ２  第２ユニット
Ｆ  床
【図１】
2018104040.tif 000003
【図２】
2018104040.tif 000004
【図３】
2018104040.tif 000005